(57)【特許請求の範囲】
【請求項１】
前面枠の裏面側に、遊技盤固定装置を介して遊技盤が着脱可能に取り付けられ、
該遊技盤の裏側に、上タンクと、該上タンクからの球を流下案内する流下通路が設けられ該流下通路の途中に横Ｕ字状に屈曲する屈曲部が形成された案内樋と、該案内樋を流下する球を所定個数宛排出可能な球排出装置とを装備した裏機構盤が配設され、
前記案内樋の前記屈曲部近傍には、前記前面枠の前面側から背面側に貫通する操作開口部が設けられ該操作開口部の前面側から挿入される操作部材の押圧操作に伴って作動して、前記上タンクに貯留する球を球抜き樋に流下させて抜き取るための球抜き装置が配設された遊技機において、
前記遊技盤固定装置は、
前記遊技盤を収容する枠体を備え、該枠体の左右両側部には該枠体内に収容された前記遊技盤の左右両側端部を係止する係止片を備えた係止部材が着脱可能に取り付けられ、
前記球抜き装置は、
回動可能に設けられ、該回動によって、前記案内樋の屈曲部外側面に設けられた開口部を閉塞する第一状態と該開口部を開放する第二状態とに切替え可能な切替弁と、
変移可能に設けられ、所定の変移位置において前記切替弁の所定部分と係合して、該切替弁を前記第一状態に保持する保持部材と、
前記操作部材の押圧力により変移可能に支持され、該変移に伴って前記保持部材を動作させ、前記保持部材と前記切替弁の所定部分との係合を解除して、前記第一状態にある前記切替弁を前記第二状態に切り替える作動部材と、
から構成され、
前記作動部材を変移可能に支持する支持部が、前記係止部材に設けられたことを特徴とする遊技機。
【請求項２】
前記作動部材は、常態で、前記遊技盤固定装置の背面よりも前方の前記前面枠側に位置することを特徴とする請求項１記載の遊技機。
【発明の詳細な説明】
【０００１】
【発明の属する技術分野】
この発明は、上タンクからの球の流下通路が設けられ該流下通路の途中に横Ｕ字状に屈曲する屈曲部を有する案内樋の前記屈曲部近傍に、前面枠の操作開口部から挿入される操作部材の押圧操作に伴って作動して、上タンクに貯留する球を球抜き樋に流下させて抜き取るための球抜き装置が配設された遊技機に関する。
【０００２】
【従来の技術】
従来の遊技機、例えば、パチンコ遊技機には、遊技機前面の操作開口部から線状の操作部材を挿入することにより、遊技盤固定装置の近傍に配設された作動部材の作動部を作動させ、それによって間接的に球抜き装置の球抜き弁（切替弁）を作動させて球抜きを行うものがあった。
【０００３】
【発明が解決しようとする課題】
しかし、上記従来の遊技機においては、作動部材を遊技盤固定装置の近傍に取り付ける場合に、遊技機前面の操作開口部から操作部材を背面側に挿通させて位置決めをしないと、作動部材の位置決めをすることができなかった。また、作動部材の取付けが単体で行われていたために、作業効率が悪かった。
また、作動部材の作動部が遊技盤固定部材よりも後方へ突出しているため、例えば、遊技盤固定装置の背面側に裏機構盤の基盤ベースを取り付ける場合には、その突出部分がその取付けの邪魔となっていた。また、作動部材の作動部と、球抜き弁を開閉させる保持部材の回動端部とを係合させた状態に取り付けることは容易ではなく、作業効率が悪かった。
【０００４】
この発明は、上記のような問題点を解決するためなされたもので、球抜き装置を作動させて球抜きを行うための作動部材の取り付けを容易とする遊技機を提供することを目的とする。
【０００５】
【課題を解決するための手段】
上記課題を解決するため、
請求項１記載の発明は、前面枠（１１１）の裏面側に、遊技盤固定装置（１５０）を介して遊技盤（１）が着脱可能に取り付けられ、
該遊技盤の裏側に、上タンク（例えば、貯留タンク２０１など）と、該上タンクからの球を流下案内する流下通路が設けられ該流下通路の途中に横Ｕ字状に屈曲する屈曲部が形成された案内樋（例えば、２条の流下通路５０、５１など）と、該案内樋を流下する球を所定個数宛排出可能な球排出装置（例えば、球排出ユニット２０４など）とを装備した裏機構盤（１００ａ）が配設され、
前記案内樋の前記屈曲部近傍には、前記前面枠の前面側から背面側に貫通する操作開口部（１４１）が設けられ該操作開口部の前面側から挿入される操作部材（１４０）の押圧操作に伴って作動して、前記上タンクに貯留する球を球抜き樋（５２）に流下させて抜き取るための球抜き装置（１２０）が配設された遊技機（例えば、パチンコ遊技機１００など）において、
前記遊技盤固定装置は、
前記遊技盤を収容する枠体を備え、該枠体の左右両側部には該枠体内に収容された前記遊技盤の左右両側端部を係止する係止片（２２）を備えた係止部材（２０）が着脱可能に取り付けられ、
前記球抜き装置は、
回動可能に設けられ、該回動によって、前記案内樋の屈曲部外側面に設けられた開口部（８６）を閉塞する第一状態と該開口部を開放する第二状態とに切替え可能な切替弁（４０）と、
変移可能に設けられ、所定の変移位置において前記切替弁の所定部分と係合して、該切替弁を前記第一状態に保持する保持部材（３０）と、
前記操作部材の押圧力により変移可能に支持され、該変移に伴って前記保持部材を動作させ、前記保持部材と前記切替弁の所定部分との係合を解除して、前記第一状態にある前記切替弁を前記第二状態に切り替える作動部材（２１）と、
から構成され、
前記作動部材を変移可能に支持する支持部（２１ａ）が、前記係止部材に設けられた構成とした。
【０００６】
この請求項１記載の発明によれば、作動部材を支持する支持部が、係止部材に設けられているため、作動部材を係止部材に支持させた状態で、係止部材と作動部材とを同時に取り付けることができ、遊技機の組立作業を簡素化することが可能となる。また、作動部材を支持する支持部が係止部材に設けられているため、作動部材の取付位置が明確に定まり、作動部材の位置合わせに手間取ることがない。
【０００７】
ここで、遊技機は、例えば、パチンコ遊技機、パチコン機、アレンジボール遊技機、或いは雀球遊技機などが挙げられる。
【０００８】
請求項２記載の発明は、請求項１に記載の遊技機であって、
前記作動部材が、常態で、前記遊技盤固定装置の背面より前方の前記前面枠側に位置する構成とした。
【０００９】
この請求項２記載の発明によれば、作動部材が、常態で遊技盤固定装置の背面よりも前方の前面枠側に位置するため、例えば、裏機構盤を遊技盤固定装置に取り付ける場合など、作動部材が取り付けの邪魔になることがなく、組立作業を速やかに行うことが可能となる。
【００１０】
【発明の実施の形態】
以下、この発明の実施の形態について、図１〜図９の図面を参照しながら説明する。
【００１１】
図１は、この発明に係る遊技機として例示するパチンコ遊技機を示す正面図である。
【００１２】
この実施の形態のパチンコ遊技機１００は、内部の遊技領域（後述）内に遊技球を発射して遊技を行うもので、パチンコ遊技機１００の前面枠１１１の上半部には、ガラス板１０１がガラス枠１０２に保持された状態で左端を軸心として片開き形式に開閉自在に取り付けられている。ガラス枠１０２の左側上端部には、操作部材１４０（後述）を挿入して貯留タンク２０１（後述）からの球の球抜きを行うための操作開口部１４１が、該ガラス枠１０２から前面枠１１１の背面側に貫通した状態で設けられている。また、ガラス板１０１の奥側には遊技領域１ａを構成する遊技盤１が前面枠１１１に着脱可能に設置されている。
【００１３】
遊技盤１のガイドレール２で囲まれた遊技領域１ａには、特図（普図も兼ねる）の可変表示装置４、普図始動ゲート６，６、特別変動入賞装置５、一般入賞口８，…、特図始動口９、サイドランプ１２，１２などが配設されている。遊技領域１ａの最下端部中央にはアウト球を回収するためのアウト穴１３が設けられている。
【００１４】
また、パチンコ遊技機１００の前面枠１１１の下半部には、発射部（図示省略）に遊技球を供給する上受皿１０５、該上受皿１０５に収容しきれない遊技球を収容する下受皿１０７、前記遊技領域１ａに向けて遊技球の発射操作を行うための操作ハンドル１０４などが設置されている。
【００１５】
図２は、パチンコ遊技機の背面図である。
【００１６】
パチンコ遊技機１００の本体枠１１０に開閉可能に設置された前面枠１１１に取り付けられる裏機構盤１００ａの基盤ベース１６０の裏側には、予備球を貯留するための上タンクとして例示する貯留タンク２０１、該貯留タンク２０１からの予備球を整列させて球抜きユニット２００まで流下案内するための球案内樋２０２、該球案内樋２０２により流下案内される球の球抜きや球排出ユニット２０４への流下案内を行う球抜きユニット２００、球抜きユニット２００を介して流下案内された球を上受皿１０５（該上受皿１０５が満杯のときは下受皿１０７）へ排出させる球排出装置として例示する球排出ユニット２０４、操作ハンドル１０４の操作に基づき球を遊技領域１ａに発射させるハンドルユニット２０６、集められた入賞球を順次検出するセーフユニット２０７などが配設される他、共通制御回路２１０、球排出用中継基盤２３０、カードユニット用外部接続端子基盤２４０、ターミナル基盤２７０等が配設されている。
また、遊技盤１の裏面側には遊技系統の制御を行う役物制御回路２２０が設置され、遊技盤１の裏側に突出した可変表示装置４の背部には役物制御系統の中継基盤２６０が配設されている。
【００１７】
図３は、パチンコ遊技機に備わる裏機構盤の遊技盤固定装置への取付構造を示す分解斜視図、図４は、遊技盤固定装置に取り付けられる係止部材を示す斜視図である。
【００１８】
裏機構盤１００ａの基盤ベース１６０は、図３に示すように、その一端側の軸受け１６２ａ、１６２ｂが、前面枠１１１（図２）の遊技盤固定装置１５０の一端側の支軸１５３ａ、１５３ｂに支持された状態で、前面枠１１１の裏側に回動自在に取り付けられている。
この基盤ベース１６０の中央には開口部１００ｂが形成され、この開口部１００ｂの周りに、上記の如く、貯留タンク２０１、導出樋２０２、球抜きユニット２００等が配設されて、上記裏機構盤１００ａが構成されている。
そして、球抜きユニット２００は、図３に示すように、嵌込み式の取付部材２００ａによって、基盤ベース１６０の裏面側の上端隅部にワンタッチで着脱可能に取り付けられている。
【００１９】
遊技盤固定装置１５０は、遊技盤１の収納部１５０ａが後方に膨出した形状に形成されていて、前面側の縁部に設けられた取付部１５０ｂ，…を介して前面枠１１１（図２）の裏面に止着されている。この遊技盤固定装置１５０の一端側の側面には、収納部１５０ａ中に収納された遊技盤１を係止する係止部材２０、２９が取り付けられ、該係止部材２０、２９によって遊技盤１の一端側を押圧して係止するとともに、遊技盤１の他端側を図示省略の係止部材により押圧して係止することにより、遊技盤１が遊技盤固定装置１５０の内部に固定されるようになっている。
【００２０】
係止部材２０は、図４に示すように、遊技盤１を押圧して係止するための弾性変形自在の係止片２２を備えている。
この係止片２２は、係止部材２０の基板２０ａの一端側より一側方に折り返され、その先端部分に係止部２２ａが更に折り曲げられた状態に形成されている。
また、この係止片２２の上端部には遊技盤１の位置決め片２６が係止片２２と同じ側に折り曲げて形成されている。
一方、この係止部材２０の基板２０ａの他側部には、操作部材１４０（後述）の押圧により回動して球抜きユニット２００の保持部材３０（後述）を作動させる作動部材２１がバネ材２７を介して取り付けられている。
この作動部材２１は、後述の球抜きユニット２００の保持部材３０や切替弁４０とともに球抜き装置１２０を構成していて、支持部として例示する支軸２１ａを軸心として回動（変移）可能となっている。
この作動部材２１は、バネ材２７（図３）により、その先端部（自由端部）２１ｂが支軸２１ａに対して上方に位置するよう、回動復帰されて基板２０ａの面内に位置している。
【００２１】
このように構成された係止部材２０は、その支軸２１ａにバネ材２７を介して作動部材２１を取り付けた状態（図４）で、図３に示すように、その位置決め片２６を遊技盤固定装置１５０のスリット孔１５１ａ中に通すとともに、係止片２２を遊技盤固定装置１５０のスリット孔１５１ｂから通して、係止片２２の先端部が収納部１５０ａ中に突出した状態にし、その基板２０ａのビス孔２３，２３側から遊技盤固定装置１５０の取付孔１５２，１５２にビスを通して、遊技盤固定装置１５０の一側上端部に固定されている。
このように、係止部材２０は、位置決め片２６をスリット孔１５１ａ中に通すとともにビスで遊技盤固定装置１５０に止着することによって、遊技盤固定装置１５０に対する位置決めがされるので、係止部材２０が遊技盤固定装置１５０に取り付けられた状態で、作動部材２１は、操作開口部１４１、並びに球抜きユニット２００の保持部材３０に対する位置決めがなされた状態となる。
また、遊技盤固定装置１５０の同側下端部に、係止部材２９がビスにより固定されている。
この状態で、収納部１５０ａ中に遊技盤１が収納され、該遊技盤１が係止部材２０の位置決め片２６や位置決め部２９ａ等によって位置決めされるとともに、係止部材２０の係止片２２の係止部２２ａにより押圧された状態で保持されている。
【００２２】
図５は、球抜きユニットを示す正面図、図６は、球抜きユニットを示す背面図、図７は、球抜きユニットを示す分解斜視図である。
【００２３】
球抜きユニット２００は、貯留タンク２０１に連結された球案内樋２０２の２条の通路から２列状態で送られてくる予備球を２列状態のまま球排出ユニット２０４へ流下案内するもので、図７に示すように、仕切板６０と、該仕切板６０を挟んでその両面側から取り付けられた流路部材８０、９０等によって構成されている。
流路部材８０、９０のそれぞれの内側には、上段通路５０Ａ、５１Ａ、中段通路５０Ｂ、５１Ｂ及び下段通路５０Ｃ、５１Ｃの３つの部分からなる２条の流下通路５０、５１（図５、図６、図７）が横Ｕ字状に２回折曲してほぼＺ状に折れ曲がった状態に形成されている。
【００２４】
これら案内樋として例示する流下通路５０、５１の各直線部分を形成する流路部材８０、９０及び仕切板６０には、線材（図示省略）を差し込んで球詰まりを解消するための解除孔８１，…、９１，…、６１，…が形成されている。
また、上段通路５０Ａ、５１Ａの入口付近には、流下通路５０、５１に流入する球の球ならしを行うレバー７５が支軸７５ａを介して回動自在に取り付けられている。
また、上段通路５０Ａ、５１Ａの下流側には、流下通路５０、５１における球切れを検出する半端球検出部１３０が設けられ、上段通路５０Ａ、５１Ａの下流側終端部と中段通路５０Ｂ、５１Ｂの上流側始端部との接合部分には、流下通路５０、５１中の球を球抜き樋５２側へ抜き取らせるための球抜き機構１２０Ａ（図５〜図７）が設けられている。また、下段通路５０Ｃ、５１Ｃの終端部には、流下通路５０、５１の出口８９、９９の開閉を行うシャッター部７７が設けられている。
【００２５】
半端球検出部１３０は、図５及び図６に示すように、各流下通路５０、５１を流下する球の有無に応じて回動変位を生じる半端球検出部材７０、７１と、半端球検出部材７０、７１の自由端側上方位置に設置されて半端球検出部材７０、７１の変位状態を検出して流下通路５０、５１における球切れの有無を検出する半端球検出センサ７２とにより構成されている。
半端球検出部材７０、７１は、その上端部を流路部材８０に突設された支軸８２、９２により、それぞれ回動自在に支持され、各側部に突設された回動範囲規制ピン７０ａ、７０ｂが流路部材８０、９０に設けられた回動範囲規制孔８８、９８に挿通されて、その回動範囲が規制されている。
また、半端球検出センサ７２は、各流下通路５０、５１を流下する球の有無に応じて回動変位を生じる半端球検出部材７０、７１の変位状態を、例えば、光学検出器等によって検出するようになっている。
【００２６】
球抜き機構１２０Ａは、上流の貯留タンク２０１から流下してくる球を流下通路５０、５１から球抜き樋５２側へと抜き取るためのもので、上段通路５０Ａ、５１Ａと中段通路５０Ｂ、５１Ｂとの接合部分の開口部８６を開閉する切替弁４０と、該切替弁４０を閉じた状態に係止可能な保持部材３０とから構成されている。そして、この球抜き機構１２０Ａは、前述の作動部材２１とともに球抜き装置１２０を構成している。
【００２７】
切替弁４０は、図６及び図７に示すように、その上端部を流路部材８０に突設された支軸４１ｂにより回動自在に支持され、その背部より前方へと延出する操作軸４２が流路部材９０に設けられたガイド孔３６に挿通されて、その回動範囲が規制されている。
一方、保持部材３０は、球抜きユニット２００の基盤ベース１６０（図３）側の外側面上で、流路部材９０の外側面に突設された支軸３１を軸心として回動自在に支持されている。
この保持部材３０は、流路部材９０の外側面と後端部とに各々設けられた回動範囲規制部３５、３７により上方向への回動範囲が規制されるとともに、バネ３４により上方向への移動復帰力が付与されているため、常時は、回動範囲規制部３５、３７に当接して、係止された状態となっている。
また、保持部材３０のほぼ中央には、流路部材９０の外側から切替弁４０の操作軸４２を係止する突部３３が設けられている。
【００２８】
次に、作動部材２１、保持部材３０及び切替弁４０により構成される球抜き装置１２０によって行われる球抜きについて、図８〜図９を参照しながら説明する。
【００２９】
図８は、球抜き装置を構成する作動部材、保持部材及び切替弁を示す斜視図、図９は、球抜き機構の動作を説明する図である。
【００３０】
常時は、切替弁４０が、上段通路５０Ａ、５１Ａと中段通路５０Ｂ、５１Ｂとの接合部の開口部８６を塞いで、操作軸４２がガイド孔３６中の下端位置に至っている。
と同時に、保持部材３０が、バネ３４の上方向への付勢力により、図９の（ａ１）の回動範囲規制部３５、３７で規制される位置まで回動復帰されていて、その突部３３で操作軸４２をガイド孔３６中の下端位置で係止して、切替弁４０による開口部８６の閉塞状態を維持した状態となっている。
そして、上段通路５０Ａ、５１Ａの球Ｂは、中段通路５０Ｂ、５１Ｂ側へと流下していく状態にある。
この状態で、球抜き装置１２０により球抜きを行うときには、パチンコ遊技機１００の前面に設けられた操作開口部１４１に、操作部材１４０を先端部１４０ａから挿入する。
すると、図８に示すように、操作部材１４０の先端部１４０ａが、前面枠１１１の裏側へ至って、遊技盤固定装置１５０に取り付けられている係止部材２０の作動部材２１の突部２１ｃを押圧する。
この操作部材１４０の押圧により、作動部材２１の先端部２１ｂがパチンコ遊技機１００の背面側へ回動して、裏機構盤１００ａの基盤ベース１６０に配設された球抜きユニット２００の保持部材３０の自由端部３２側を図９の（ａ２）の位置まで押し下げる。
【００３１】
この作動部材２１の先端部２１ｂの押下げにより、保持部材３０の突部３３による切替弁４０の係止が解除されて、切替弁４０（操作軸４２）が回動可能な状態になると、切替弁４０が、上段通路５０Ａ、５１Ａの球Ｂの流下圧により、図９の（ｂ２）の位置まで移動して開口部８６を開放し、上段通路５０Ａ、５１Ａの球Ｂが、中段通路５０Ｂ、５１Ｂ側へ流下しないで、球抜き樋５２側へ流下して球抜きされる状態となる。
【００３２】
このようにして、球抜きが行われて、貯留タンク２０１の貯留球がなくなって、上段通路５０Ａ、５１Ａを流下する球Ｂがなくなると、切替弁４０が自重により回動して、図９の（ｂ１）の位置に復帰し、開口部８６を再び閉塞する。その後、操作開口部１４１から操作部材１４０を引き抜くと、作動部材２１が復帰する方向に回動して、図９の（ａ１）の位置で、突部３３により再び切替弁４０を係止した状態となる。
【００３３】
作動部材２１は、その突部２１ｃが前方から操作部材１４０の押圧を受けた場合に、その先端部２１ｂが支軸２１ａを軸心として後方へと回動して、該回動軌道上に設けられる保持部材３０の自由端部３２を押し下げるようになっているため、作動部材２１は、裏機構盤１００ａの基盤ベース１６０が遊技盤固定装置１５０に取り付けられた状態で、常時は、遊技盤固定装置１５０の裏面より後方に突出することがなく、取付けの邪魔になることはない。
この実施の形態のパチンコ遊技機１００によれば、作動部材２１を支持する軸支部２１ａが、係止部材２０に一体に設けられているため、作動部材２１を係止部材２０に取り付けた状態で、作動部材２１を係止部材２０と一緒に遊技盤固定装置１５０に取り付けることができ、パチンコ遊技機１００の組立作業を簡素化することが可能となる。
また、作動部材２１を支持する軸支部２１ａが係止部材２０に設けられ、該係止部材２０を遊技盤固定装置１５０に取り付ける際に、位置決め片２６をスリット孔１５１ａ中に通すとともにビスで遊技盤固定装置１５０に止着することによって、遊技盤固定装置１５０に対する位置決めがされるので、作動部材２１の取付位置の位置決めが容易となり、作動部材２１の位置合わせに手間取ることがない。
また、作動部材２１が、常態で遊技盤固定装置１５０の背面よりも前方に配設されているため、例えば、裏機構盤１００ａの基盤ベース１６０を遊技盤固定装置１５０に取り付ける場合など、作動部材２１が取り付けの邪魔になることがなく、組立作業を速やかに行うことが可能となる。
【００３４】
なお、本発明は、この実施の形態のパチンコ遊技機１００に限られるものではなく、他の種類のパチンコ遊技機、パチコン機、アレンジボール遊技機及び雀球遊技機などの弾球遊技機についても適用可能である。
【００３５】
【発明の効果】
請求項１記載の発明によれば、作動部材を支持する支持部が、係止部材に設けられているため、作動部材を係止部材に取り付けた状態で、係止部材と一緒に作動部材を取り付けることができ、遊技機の組立作業を簡素化することが可能となる。また、作動部材を支持する支持部が係止部材に設けられているため、作動部材の取付位置の位置決めが明確となり、作動部材の位置合わせに手間取ることがない。
【００３６】
請求項２記載の発明によれば、作動部材が、常態で遊技盤固定装置の背面よりも前方の前面枠側に配設されているため、例えば、裏機構盤を遊技盤固定装置に取り付ける場合など、作動部材が取り付けの邪魔になることがなく、組立作業を速やかに行うことが可能となる。
【図面の簡単な説明】
【図１】この発明に係る遊技機として例示するパチンコ遊技機を示す正面図である。
【図２】パチンコ遊技機の背面図である。
【図３】パチンコ遊技機に備わる裏機構盤の遊技盤固定装置への取付構造を示す分解斜視図である。
【図４】遊技盤固定装置に取り付けられる係止部材を示す斜視図である。
【図５】球抜きユニットを示す正面図である。
【図６】球抜きユニットを示す背面図である。
【図７】球抜きユニットを示す分解斜視図である。
【図８】球抜き装置を構成する作動部材、保持部材及び切替弁を示す斜視図である。
【図９】球抜き機構の動作を説明する図である。
【符号の説明】
１          遊技盤
２０        係止部材
２１        作動部材
２１ａ      支軸
２２        係止片
３０        保持部材
３３        突部
３６        ガイド孔
４０        切替弁
４２        操作軸
５０、５１  流下通路（案内樋）
５２        球抜き樋
８６        開口部
１００      パチンコ遊技機（遊技機）
１１１      前面枠
１２０      球抜き装置
１２０Ａ    球抜き機構
１４０      操作部材
１４１      操作開口部
１５０      遊技盤固定装置
１６０      基盤ベース
２００      球抜きユニット
２０１      貯留タンク（上タンク）
２０４      球排出ユニット（球排出装置）
【図１】
0003862829.tif 000002
【図２】
0003862829.tif 000003
【図３】
0003862829.tif 000004
【図４】
0003862829.tif 000005
【図５】
0003862829.tif 000006
【図６】
0003862829.tif 000007
【図７】
0003862829.tif 000008
【図８】
0003862829.tif 000009
【図９】
0003862829.tif 000010